(57)【特許請求の範囲】
【請求項１】
複数の受信系を用いた受信ダイバーシチ機能を有し、受信品質に応じた情報を送信装置から受信する通信装置であって、
前記受信ダイバーシチ機能を有効にした第１の状態と、該受信ダイバーシチ機能を無効にした第２の状態の間の切り替えを行う切り替え手段と、
切り替え前の状態から切り替え後の状態へ前記受信ダイバーシチ機能の切り替えが行われる時刻より所定時間だけ前に、前記受信品質を測定し、得られた測定値を前記切り替え後の状態を反映した値に変更する測定手段と、
変更された測定値を受信品質の報告値として、前記送信装置に送信する送信手段と
を備えることを特徴とする通信装置。
【請求項２】
前記測定手段は、前記第１の状態から前記第２の状態への切り替えが行われる前に、前記得られた測定値を該測定値より小さい値に変更することを特徴とする請求項１記載の通信装置。
【請求項３】
前記測定手段は、前記第１の状態から前記第２の状態への切り替えが行われる前に、該第１の状態で測定された受信品質の測定値と該第２の状態で測定された受信品質の測定値の差分を、前記得られた測定値から減じることで、該得られた測定値を変更することを特徴とする請求項２記載の通信装置。
【請求項４】
前記測定手段は、前記第２の状態から前記第１の状態への切り替えが行われる前に、前記得られた測定値を該測定値より大きい値に変更することを特徴とする請求項１または２記載の通信装置。
【請求項５】
前記測定手段は、前記第２の状態から前記第１の状態への切り替えが行われる前に、該第１の状態で測定された受信品質の測定値と該第２の状態で測定された受信品質の測定値の差分を、前記得られた測定値に加えることで、該得られた測定値を変更することを特徴とする請求項４記載の通信装置。
【請求項６】
複数の受信系を用いた受信ダイバーシチ機能を有し、受信品質に応じた情報を送信装置から受信する通信装置において、該受信ダイバーシチ機能を制御する方法であって、
前記受信ダイバーシチ機能を有効にした第１の状態と該受信ダイバーシチ機能を無効にした第２の状態の間で、切り替え前の状態から切り替え後の状態へ該受信ダイバーシチ機能の切り替えが行われる時刻より所定時間だけ前に、前記受信品質を測定し、
得られた測定値を前記切り替え後の状態を反映した値に変更し、
変更された測定値を受信品質の報告値として、前記送信装置に送信し、
前記切り替え前の状態から前記切り替え後の状態へ前記受信ダイバーシチ機能を切り替える
ことを特徴とする方法。
【発明の詳細な説明】
【技術分野】
【０００１】
本発明は、Ｗ−ＣＤＭＡ（Wideband Code Division Multiple Access）のような無線通信システムにおける受信ダイバーシチ制御に関する。
【背景技術】
【０００２】
通信品質向上およびネットワーク容量の拡大を実現する技術として、受信ダイバーシチ技術がある。この技術では、受信機に複数の受信系統を設け、復調後の信号を適切に信号処理することで、受信信号のＳ／Ｎ比（信号雑音比）を改善している。
【０００３】
図９は、従来のＨＳＤＰＡ（High Speed Downlink Packet Access ）通信の概要を示している。ＨＳＤＰＡでは、従来のＷ−ＣＤＭＡに比べて通信速度を向上させるために、以下の３つのチャネルが追加されている。
（１）ＨＳ−ＰＤＳＣＨ（HighSpeed-Physical Downlink Shared CHannel）
ＨＳ−ＰＤＳＣＨ１４は、基地局１１から移動端末１２へ送信される、下りのユーザデータをマッピングするチャネルである。基地局１１は、移動端末１２の受信品質を示すＣＱＩ（Channel Quality Indicator ）に応じて、このチャネルの送信ビット数、変調方式、符号化率、多重コード数等を適応的に変更する。
（２）ＨＳ−ＳＣＣＨ（HighSpeed-Shared Control CHannel）
ＨＳ−ＳＣＣＨ１３は、ＨＳ−ＰＤＳＣＨを復調するための制御情報がマッピングされている下りチャネルである。
（３）ＨＳ−ＤＰＣＣＨ（HighSpeed-Dedicated Physical Control CHannel）
ＨＳ−ＤＰＣＣＨ１５は、ＡＣＫ（Acknowledgement ）、ＮＡＣＫ（Negative Acknowledgement）、ＤＴＸ（Discontinuous Transmission）、およびＣＱＩのような、移動端末１２での復調結果、受信品質等の情報をマッピングする上りチャネルである。
【０００４】
一方、Ｓ／Ｎ比の改善を目的として、受信系統を複数持つ受信ダイバーシチ機能搭載の移動端末では、以下のような受信ダイバーシチ制御が考えられる。
（１）省電力化を目的に、必要に応じて受信ダイバーシチのＯＮ／ＯＦＦを制御する。
（２）受信系統（ブランチ）が複数あることを利用して、受信ダイバーシチを動的にＯＦＦして、片ブランチで通信中にもう一方のブランチで異周波数の信号強度測定を行う。
【０００５】
下記の特許文献１は、ＨＳＤＰＡ通信において、受信品質の変化の方向を反映したＣＱＩ情報を生成する移動局に関する。
【特許文献１】特開２００６−１５７１３３号公報
【発明の開示】
【発明が解決しようとする課題】
【０００６】
上述した従来のＨＳＤＰＡには、次のような問題がある。
ＨＳＤＰＡでは、ＣＱＩに応じてＨＳ−ＰＤＳＣＨを適応的に制御するために、移動端末のカテゴリに応じたＣＱＩテーブルが使用される。図１０および図１１は、３ＧＰＰ（3rd Generation Partnership Project）  ＴＳ２５．２１４で規定された、カテゴリ５および１０の移動端末に使用されるＣＱＩテーブルを示している。
【０００７】
これらのＣＱＩテーブルでは、ＣＱＩ値１〜３０に対して、送信ビット数（トランスポートブロックサイズ）、マルチコード数（ＨＳ−ＰＤＳＣＨの数）、変調方式、送信電力オフセット等が定義されており、ＣＱＩ値が大きいほどスループットは高くなる。ＮIRおよびＸRVは、データの冗長化に関するパラメータである。
【０００８】
ＨＳＤＰＡ通信中、移動端末は、ＣＰＩＣＨ（Common Pilot CHannel）によって通信品質（ＣＱＩ）を常に測定しており、ＨＳ−ＰＤＳＣＨのブロック誤り率（ＢＬＥＲ）が一定値になるように制御を行う。ところが、異周波数測定や省電力化等の目的で、移動端末が通信中に受信ダイバーシチのＯＮ／ＯＦＦを動的に制御する場合、すでに得られている受信ダイバーシチ利得が急激に変化してしまう。このため、一定期間、移動端末の復調能力とＣＱＩがずれてしまい、スループットの低下を招く。具体的には、以下の通りである。
（１）受信ダイバーシチＯＮ→ＯＦＦの場合
急激な利得低下により誤り率が増加し、再送が増えてネットワークに大きな負荷が掛かることになる。受信ダイバーシチＯＦＦ時における適正な誤り率の状態になるまで、一定期間待たなければならない。
（２）受信ダイバーシチＯＦＦ→ＯＮの場合
利得向上により、一定期間、通信品質が過剰になるため、以下の問題が生じる。
・図１０のＣＱＩ値が２２以上の場合のように、ＣＱＩがある値以上になると送信電力を低減するようなＣＱＩテーブルを使用している場合、基地局からのＨＳ−ＰＤＳＣＨの送信電力を下げることが可能にもかかわらず、下げていない状態が発生し、ネットワーク資源の無駄となる。
・図１１のように、ＣＱＩが高くなるにつれて送信ビット数が増加するようなＣＱＩテーブルを使用している場合、ユーザはさらに高いスループットが得られるにもかかわらず、スループットが低いままの状態が発生する。
【０００９】
本発明の課題は、無線通信システムにおいて受信ダイバーシチのＯＮ／ＯＦＦを切り替える際に、切り替え後の移動端末の通信品質を一定に保つことである。
【課題を解決するための手段】
【００１０】
図１は、本発明の通信装置の原理図である。図１の通信装置は、複数の受信系を用いた受信ダイバーシチ機能１０１を有し、受信品質に応じた情報を送信装置から受信する通信装置であって、切り替え手段１０２、測定手段１０３、および送信手段１０４を備える。
【００１１】
切り替え手段１０２は、受信ダイバーシチ機能１０１を有効（ＯＮ）にした第１の状態と、受信ダイバーシチ機能１０１を無効（ＯＦＦ）にした第２の状態の間の切り替えを行う。測定手段１０３は、切り替えが行われる前に、受信品質を測定し、得られた測定値を切り替え後の状態に応じて変更する。送信手段１０４は、変更された測定値を受信品質の報告値として、送信装置に送信する。
【００１２】
測定手段１０３は、第１の状態から第２の状態への切り替えが行われる前に、例えば、得られた測定値をその測定値より小さい値に変更し、第２の状態から第１の状態への切り替えが行われる前に、得られた測定値をその測定値より大きい値に変更する。このように、受信ダイバーシチ機能１０１を切り替える前に、送信装置へ報告される受信品質の測定値（ＣＱＩ値）が、切り替え後の状態を反映した値に変更される。これにより、状態が変化した直後でも、受信利得の急激な変化に応じた適切な情報を送信装置から受信することが可能になる。
【００１３】
図１の通信装置は、例えば、後述する図２の移動端末に対応し、上記送信装置は、例えば、後述する図３の基地局に対応する。切り替え手段１０２は、例えば、図２の復調制御部２１０に対応し、測定手段１０３は、例えば、ＣＱＩ測定部２１２に対応し、送信手段１０４は、例えば、アンテナ２０１−１に対応する。
【発明の効果】
【００１４】
本発明によれば、受信ダイバーシチをＯＮからＯＦＦに切り替える際に、あらかじめＣＱＩ値を下げることで、受信利得の低下後も適正な誤り率を保つことができる。また、受信ダイバーシチをＯＦＦからＯＮに切り替える際に、あらかじめＣＱＩ値を上げることで、受信利得の上昇後も適正な誤り率を保つことができる。これにより、基地局の送信電力を必要な量まで低減してネットワーク資源を節約することができ、あるいは、ユーザの受信スループットを向上させることができる。
【発明を実施するための最良の形態】
【００１５】
以下、図面を参照しながら、本発明を実施するための最良の形態を詳細に説明する。
実施形態の無線通信システムでは、受信ダイバーシチのＯＮ／ＯＦＦを切り替える際に、あらかじめＣＱＩ値をオフセットすることで、常に誤り率を適正値に制御し、一定の通信品質を保持する。具体的には、以下のような受信ダイバーシチ制御を行う。
（１）受信ダイバーシチＯＮ→ＯＦＦの場合
移動端末は、受信ダイバーシチをＯＮからＯＦＦに切り替える前に、あらかじめ測定したＣＱＩ値を所定値だけ下げて、基地局に報告する。基地局は、移動端末より報告されたＣＱＩ値に基づいてＨＳ−ＰＤＳＣＨのフォーマットを決定し、そのフォーマットでユーザデータを送信する。そのとき、移動端末では、受信ダイバーシチがＯＦＦになり受信利得が低下しているが、ＨＳ−ＰＤＳＣＨはあらかじめ受信ダイバーシチＯＦＦ状態を見越したフォーマットになっているので、通信品質の劣化を防ぐ適正な誤り率が保たれる。
（２）受信ダイバーシチＯＦＦ→ＯＮの場合
移動端末は、受信ダイバーシチをＯＦＦからＯＮに切り替える前に、あらかじめ測定したＣＱＩ値を所定値だけ上げて、基地局に報告する。基地局は、移動端末より報告されたＣＱＩ値に基づいてＨＳ−ＰＤＳＣＨのフォーマットを決定し、そのフォーマットでユーザデータを送信する。そのとき、移動端末では、受信ダイバーシチがＯＮになり受信利得が上昇しているが、ＨＳ−ＰＤＳＣＨはあらかじめ受信ダイバーシチＯＮ状態を見越したフォーマットになっており、通信品質過剰を防ぐ適正な誤り率が保たれる。
【００１６】
図２は、このような無線通信システムにおける移動端末の無線部の構成例を示している。実線はデータパスを表し、破線は制御パスを表す。
この無線部は、アンテナ２０１−１、２０１−２、ＲＦ（Radio Frequency ）部２０２−１、２０２−２、２１４、Ａ／Ｄ（Analog/Digital）変換部２０３−１、２０３−２、ＡＧＣ（Automatic Gain Control）部２０４−１、２０４−２、セル検出部２０５−１、２０５−２、パス検出部２０６−１、２０６−２、逆拡散部２０７−１、２０７−２、同期検波部２０８−１、２０８−２、サーキュレータ２０９、復調制御部２１０、ＲＡＫＥ合成部２１１、ＣＱＩ測定部２１２、復号部２１３、増幅部（ＡＭＰ）２１５、Ｄ／Ａ（Digital/Analog）変換部２１６、拡散部２１７、および符号化部２１８を備える。
【００１７】
このうち、アンテナ２０１−１、ＲＦ部２０２−１、Ａ／Ｄ変換部２０３−１、ＡＧＣ部２０４−１、セル検出部２０５−１、パス検出部２０６−１、逆拡散部２０７−１、および同期検波部２０８−１は、第１の受信系を構成し、アンテナ２０１−２、ＲＦ部２０２−２、Ａ／Ｄ変換部２０３−２、ＡＧＣ２０４−２、セル検出部２０５−２、パス検出部２０６−２、逆拡散部２０７−２、および同期検波部２０８−２は、第２の受信系を構成する。アンテナ２０１−１、ＲＦ部２１４、増幅部２１５、Ｄ／Ａ変換部２１６、拡散部２１７、および符号化部２１８は、送信系を構成する。
【００１８】
ＲＦ部２０２−ｉ（ｉ＝１，２）は、アンテナ２０１−ｉにより受信したＲＦ信号を復調し、Ａ／Ｄ変換部２０３−ｉは、復調された信号をデジタル信号に変換する。ＡＧＣ部２０４−ｉは、自動利得制御を行い、逆拡散部２０７−ｉは、逆拡散処理を行い、同期検波部２０８−ｉは、同期検波を行う。このとき、セル検出部２０５−ｉは、セルサーチを行って基地局のスクランブルコードを検出し、パス検出部２０６−ｉは、マルチパスのた
めの逆拡散タイミングを検出する。
【００１９】
ＲＡＫＥ合成部２１１は、第１および第２の受信系により受信されたマルチパス信号のレイク合成を行い、復号部２１３は、ＣＲＣ（Cyclic Redundancy Check ）により誤り検出を行って、受信データの復号結果（ＡＣＫ／ＮＡＣＫ）を符号化部２１８に出力する。ＣＱＩ測定部２１２は、レイク合成された信号からＣＱＩを測定し、測定値を符号化部２１８に出力する。
【００２０】
復調制御部２１０は、受信ダイバーシチのＯＮ／ＯＦＦを切り替える制御を行う。受信ダイバーシチをＯＮにする場合は、第１および第２の受信系の電源をＯＮにして、２つの受信系の受信信号をレイク合成する制御が行われ、受信ダイバーシチをＯＦＦにする場合は、第２の受信系の電源をＯＦＦにして、第１の受信系の受信信号のみをレイク合成する制御が行われる。
【００２１】
また、復調制御部２１０は、受信ダイバーシチを切り替える前に、ＣＱＩのオフセット開始をＣＱＩ測定部２１２に指示する。これを受けて、ＣＱＩ測定部２１２は、ＣＱＩの測定値を所定値だけ増減して、符号化部２１８に出力する。ＣＱＩのオフセットを開始するタイミングは、基地局が受信したＣＱＩをＨＳ−ＰＤＳＣＨに反映させるのに要する時間をもとに、受信ダイバーシチの切り替え時刻から逆算して求められる。
【００２２】
受信データの復号結果およびＣＱＩは、ＨＳ−ＤＰＣＣＨにより基地局に送信される。このとき、符号化部２１８は、受信データの復号結果およびＣＱＩを符号化し、拡散部２１７は、拡散処理を行う。Ｄ／Ａ変換部２１６は、拡散された信号をアナログ信号に変換し、増幅部２１５は送信信号を増幅し、ＲＦ部２１４は送信信号を変調する。得られたＲＦ信号は、サーキュレータ２０９を経由してアンテナ２０１−１から送信される。
【００２３】
図３は、基地局の無線部の構成例を示している。この無線部は、アンテナ３０１、３０９、ＲＦ部３０２、３１０、Ａ／Ｄ変換部３０３、ＡＧＣ部３０４、逆拡散部３０５、復調部３０６、判定部３０７、スケジューリング部３０８、増幅部（ＡＭＰ）３１１、Ｄ／Ａ変換部３１２、拡散部３１３、および符号化部３１４を備える。
【００２４】
このうち、アンテナ３０１、ＲＦ部３０２、Ａ／Ｄ変換部３０３、ＡＧＣ部３０４、逆拡散部３０５、および復調部３０６は、受信系を構成し、アンテナ３０９、ＲＦ部３１０、増幅部３１１、Ｄ／Ａ変換部３１２、拡散部３１３、および符号化部３１４は、送信系を構成する。
【００２５】
ＲＦ部３０２は、アンテナ３０１により受信したＲＦ信号を復調し、Ａ／Ｄ変換部３０３は、復調された信号をデジタル信号に変換する。ＡＧＣ部３０４は、自動利得制御を行い、逆拡散部３０５は、逆拡散処理を行い、復調部３０６は、逆拡散後の信号を復調する。
【００２６】
判定部３０７は、復調された信号からＣＱＩ、ＡＣＫ、およびＮＡＣＫの情報を抽出して、ＣＱＩをスケジューリング部３０８に出力する。さらに、ＡＣＫ／ＮＡＣＫの情報に基づいて再送の要否を判定し、判定結果をスケジューリング部３０８に出力する。スケジューリング部３０８は、ＣＱＩテーブルを保持しており、判定部３０７から受け取ったＣＱＩと、上位レイヤから指示されたスケジューリング情報に基づいて、送信データのフォーマットを決定する。
【００２７】
符号化部３１４は、送信データを符号化し、拡散部３１３は、拡散処理を行う。Ｄ／Ａ変換部３１２は、拡散された信号をアナログ信号に変換し、増幅部３１１は送信信号を増
幅し、ＲＦ部３１０は送信信号を変調する。得られたＲＦ信号は、アンテナ３０９から送信される。
【００２８】
次に、図４から図８までを参照しながら、このような無線通信システムにおける受信ダイバーシチ制御の具体例について説明する。
図４は、ＨＳＤＰＡの各チャネル（ＨＳ−ＳＣＣＨ、ＨＳ−ＰＤＳＣＨ、ＨＳ−ＤＰＣＣＨ）の関係を示すタイミングチャートである。移動端末は、＃Ｔｉｍｅ  Ｓｌｏｔ０〜２において、ＨＳ−ＳＣＣＨのｎ番目のトランスポートブロックであるＴＢｎに含まれる制御情報を受信し、＃Ｔｉｍｅ  Ｓｌｏｔ２〜４において、対応するＨＳ−ＰＤＳＣＨのデータを受信して復号する。そして、＃Ｔｉｍｅ  Ｓｌｏｔ４から約７．５スロット後の区間Ｔ２において、復号結果（ＡＣＫ／ＮＡＣＫｎ）とＣＱＩｍをＨＳ−ＤＰＣＣＨにより基地局に送信する。このＣＱＩｍの値は、直前の区間Ｔ１において測定されたＣＱＩ値である。
【００２９】
通常、ＨＳ−ＤＰＣＣＨにより送信されたＣＱＩは、約２．５スロット以内に下りのＨＳ−ＳＣＣＨの制御情報に反映され、さらにその２スロット後に、その制御情報に従ってＨＳ−ＰＤＳＣＨのデータの復号が開始される。この例では、ＨＳ−ＤＰＣＣＨにより送信されたＣＱＩｍは、＃Ｔｉｍｅ  Ｓｌｏｔ１８〜２０におけるＨＳ−ＳＣＣＨのＴＢｎ＋６に反映され、＃Ｔｉｍｅ  Ｓｌｏｔ２０〜２２におけるＨＳ−ＰＤＳＣＨのデータに反映される。したがって、ＣＱＩｍの測定開始からＨＳ−ＰＤＳＣＨに反映されるまでの時間Ｔ３は、約１０．５スロットである。
【００３０】
図５は、受信ダイバーシチをＯＮからＯＦＦに切り替える場合のタイミングチャートである。＃Ｔｉｍｅ  Ｓｌｏｔ９において、ＣＱＩｍの測定開始と同時に受信ダイバーシチをＯＮからＯＦＦに切り替えた場合、利得低下に応じて測定されたＣＱＩｍがＨＳ−ＰＤＳＣＨに反映されるまでに、約７スロットを必要とする。このため、ＣＱＩオフセットを行わなければ、区間Ｔ３において、ＨＳ−ＰＤＳＣＨに反映されるＣＱＩと移動端末の復調能力がつりあわず、復号誤りが増加してＨＳ−ＰＤＳＣＨのＢＬＥＲが劣化する。
【００３１】
図６は、図５のタイミングチャートにおいてＣＱＩオフセットを行う例を示している。移動端末は、受信ダイバーシチをＯＮからＯＦＦに切り替える時刻の９スロット前のＣＱＩ測定から、受信ダイバーシチの切り替え時刻まで、ＣＱＩの測定値を所定値（例えば、３ｄＢ）だけ下げて基地局に報告する。したがって、区間Ｔ１１で測定されたＣＱＩｍ−４の測定値が２０ｄＢのとき、区間Ｔ１２では、それより３ｄＢ小さい１７ｄＢが報告値として基地局に送信される。
【００３２】
ＣＱＩｍ−４は、ＨＳ−ＳＣＣＨのＴＢｎ＋２に反映され、＃Ｔｉｍｅ  Ｓｌｏｔ８〜１０におけるＨＳ−ＰＤＳＣＨのデータに反映される。したがって、＃Ｔｉｍｅ  Ｓｌｏｔ９において受信ダイバーシチがＯＦＦになり、ＣＱＩ測定値が１７ｄＢに低下したとしても、すでにＣＱＩの低下を反映した復号処理が行われているため、適正な通信品質を保つことができる。
【００３３】
このように、受信ダイバーシチの切り替え前の区間Ｔ１３においては、測定値より３ｄＢ小さい報告値が基地局に送信され、受信ダイバーシチの切り替え後は、測定値と同一の報告値が基地局に送信される。この場合、受信ダイバーシチの切り替え後の区間Ｔ３において、ＨＳ−ＰＤＳＣＨに反映されるＣＱＩと移動端末の復調能力がつりあっているため、復号誤りが増加することはない。
【００３４】
図７は、受信ダイバーシチをＯＦＦからＯＮに切り替える場合のタイミングチャートである。＃Ｔｉｍｅ  Ｓｌｏｔ９において、ＣＱＩｍの測定開始と同時に受信ダイバーシチ
をＯＦＦからＯＮに切り替えた場合、利得上昇に応じて測定されたＣＱＩｍがＨＳ−ＰＤＳＣＨに反映されるまでに、約７スロットを必要とする。このため、ＣＱＩオフセットを行わなければ、区間Ｔ３において、ＨＳ−ＰＤＳＣＨに反映されるＣＱＩと移動端末の復調能力がつりあわず、通信品質が過剰になる。
【００３５】
図８は、図７のタイミングチャートにおいてＣＱＩオフセットを行う例を示している。移動端末は、受信ダイバーシチをＯＦＦからＯＮに切り替える時刻の９スロット前のＣＱＩ測定から、受信ダイバーシチの切り替え時刻まで、ＣＱＩの測定値を所定値（例えば、３ｄＢ）だけ上げて基地局に報告する。したがって、区間Ｔ１１で測定されたＣＱＩｍ−４の測定値が２０ｄＢのとき、区間Ｔ１２では、それより３ｄＢ大きい２３ｄＢが報告値として基地局に送信される。
【００３６】
ＣＱＩｍ−４は、ＨＳ−ＳＣＣＨのＴＢｎ＋２に反映され、＃Ｔｉｍｅ  Ｓｌｏｔ８〜１０におけるＨＳ−ＰＤＳＣＨのデータに反映される。したがって、＃Ｔｉｍｅ  Ｓｌｏｔ９において受信ダイバーシチがＯＮになり、ＣＱＩ測定値が２２ｄＢに上昇したとしても、すでにＣＱＩの上昇を反映した復号処理が行われているため、適正な通信品質を保つことができる。
【００３７】
このように、受信ダイバーシチの切り替え前の区間Ｔ１３においては、測定値より３ｄＢ大きい報告値が基地局に送信され、受信ダイバーシチの切り替え後は、測定値と同一の報告値が基地局に送信される。この場合、受信ダイバーシチの切り替え後の区間Ｔ３において、ＨＳ−ＰＤＳＣＨに反映されるＣＱＩと移動端末の復調能力がつりあっているため、通信品質が過剰になることはない。
【００３８】
ところで、移動端末が使用するＣＱＩのオフセット値は、例えば、下記（１）〜（４）のいずれかの方法により決定される。
（１）あらかじめ初期値（例えば、３ｄＢ）を設定しておき、１回目の受信ダイバーシチ切り替え時に、実際のＣＱＩ測定値の差分を求め、その差分を受信ダイバーシチ利得による増分と推定する。そして、得られた差分を、２回目以降の受信ダイバーシチ切り替え時のオフセットとして用いる。受信ダイバーシチＯＮおよびＯＦＦのときのＣＱＩ測定値を、それぞれＣＱＩ（ＯＮ）およびＣＱＩ（ＯＦＦ）とすると、オフセットは次式により算出される。
【００３９】
オフセット＝ＣＱＩ（ＯＮ）−ＣＱＩ（ＯＦＦ）
（２）移動端末の受信ダイバーシチ利得は、時間の経過に伴って変化する可能性がある。そこで、上記（１）のように、過去に推定した受信ダイバーシチ利得をオフセットとして用いる場合は、一定期間が経過するとオフセットを初期値に戻し、ＣＱＩ測定値の差分を再計算してもよい。
（３）上記（１）において、算出されたオフセットが大きめの値（例えば１０ｄＢ）の場合、測定ばらつきによりその値が得られた可能性がある。そこで、オフセットに対する閾値を設けてもよい。例えば、算出されたオフセットをＡとして、３≦Ａ≦８の範囲の値のみを採用する方法が考えられる。
（４）一定の場所で短時間に受信ダイバーシチの切り替えを繰り返す場合、それぞれの切り替え時に上記（１）の方法で算出したオフセットの平均値を求め、その値を実際のオフセットとして用いてもよい。
【００４０】
以上の実施形態では、２つの受信系を持つ移動端末における受信ダイバーシチ制御について説明したが、３つ以上の受信系を持つ移動端末においても同様の制御を適用すること
ができる。また、移動端末のみに限らず、受信ダイバーシチ機能を有する他の通信装置においても、同様の制御を行うことが可能である。
【００４１】
（付記１）複数の受信系を用いた受信ダイバーシチ機能を有し、受信品質に応じた情報を送信装置から受信する通信装置であって、
前記受信ダイバーシチ機能を有効にした第１の状態と、該受信ダイバーシチ機能を無効にした第２の状態の間の切り替えを行う切り替え手段と、
前記切り替えが行われる前に、前記受信品質を測定し、得られた測定値を切り替え後の状態に応じて変更する測定手段と、
変更された測定値を受信品質の報告値として、前記送信装置に送信する送信手段と
を備えることを特徴とする通信装置。
（付記２）前記測定手段は、前記第１の状態から前記第２の状態への切り替えが行われる前に、前記得られた測定値を該測定値より小さい値に変更することを特徴とする付記１記載の通信装置。
（付記３）前記測定手段は、前記第１の状態から前記第２の状態への切り替えが行われる前に、該第１の状態で測定された受信品質の測定値と該第２の状態で測定された受信品質の測定値の差分を、前記得られた測定値から減じることで、該得られた測定値を変更することを特徴とする付記２記載の通信装置。
（付記４）前記測定手段は、前記第２の状態から前記第１の状態への切り替えが行われる前に、前記得られた測定値を該測定値より大きい値に変更することを特徴とする付記１または２記載の通信装置。
（付記５）前記測定手段は、前記第２の状態から前記第１の状態への切り替えが行われる前に、該第１の状態で測定された受信品質の測定値と該第２の状態で測定された受信品質の測定値の差分を、前記得られた測定値に加えることで、該得られた測定値を変更することを特徴とする付記４記載の通信装置。
（付記６）前記測定手段は、前記測定値の差分が第１の閾値より大きく第２の閾値より小さいとき、該測定値の差分を用いて前記得られた測定値を変更することを特徴とする付記３または５記載の通信装置。
（付記７）前記測定手段は、複数回の測定により得られた前記測定値の差分の平均値を求め、該平均値を用いて前記得られた測定値を変更することを特徴とする付記３または５記載の通信装置。
（付記８）複数の受信系を用いた受信ダイバーシチ機能を有し、受信品質に応じた情報を送信装置から受信する通信装置において、該受信ダイバーシチ機能を制御する方法であって、
前記受信ダイバーシチ機能を有効にした第１の状態と、該受信ダイバーシチ機能を無効にした第２の状態の間の切り替えが行われる前に、前記受信品質を測定し、
得られた測定値を切り替え後の状態に応じて変更し、
変更された測定値を受信品質の報告値として、前記送信装置に送信し、
前記第１の状態と前記第２の状態の間の切り替えを行う
ことを特徴とする方法。
【図面の簡単な説明】
【００４２】
【図１】本発明の通信装置の原理図である。
【図２】移動端末の無線部の構成図である。
【図３】基地局の無線部の構成図である。
【図４】ＨＳＤＰＡ通信時の各チャネルを示すタイミングチャートである。
【図５】受信ダイバーシチＯＮ→ＯＦＦ時の第１のタイミングチャートである。
【図６】受信ダイバーシチＯＮ→ＯＦＦ時の第２のタイミングチャートである。
【図７】受信ダイバーシチＯＦＦ→ＯＮ時の第１のタイミングチャートである。
【図８】受信ダイバーシチＯＦＦ→ＯＮ時の第２のタイミングチャートである。
【図９】ＨＳＤＰＡ通信の概要を示す図である。
【図１０】カテゴリ５のＣＱＩテーブルを示す図である。
【図１１】カテゴリ１０のＣＱＩテーブルを示す図である。
【符号の説明】
【００４３】
１１  基地局
１２  移動端末
１３  ＨＳ−ＳＣＣＨ
１４  ＨＳ−ＰＤＳＣＨ
１５  ＨＳ−ＤＰＣＣＨ
１０１  受信ダイバーシチ機能
１０２  切り替え手段
１０３  測定手段
１０４  送信手段
２０１−１、２０１−２、３０１、３０９  アンテナ
２０２−１、２０２−２、２１４、３０２、３１０  ＲＦ部
２０３−１、２０３−２、３０３  Ａ／Ｄ変換部
２０４−１、２０４−２、３０４  ＡＧＣ部
２０５−１、２０５−２  セル検出部
２０６−１、２０６−２  パス検出部
２０７−１、２０７−２、３０５  逆拡散部
２０８−１、２０８−２  同期検波部
２０９  サーキュレータ
２１０  復調制御部
２１１  ＲＡＫＥ合成部
２１２  ＣＱＩ測定部
２１３  復号部
２１５、３１１  増幅部
２１６、３１２  Ｄ／Ａ変換部
２１７、３１３  拡散部
２１８、３１４  符号化部
３０６  復調部
３０７  判定部
３０８  スケジューリング部
【図１】
0005138293.tif 000002
【図２】
0005138293.tif 000003
【図３】
0005138293.tif 000004
【図９】
0005138293.tif 000005
【図１０】
0005138293.tif 000006
【図１１】
0005138293.tif 000007
【図４】
0005138293.tif 000008
【図５】
0005138293.tif 000009
【図６】
0005138293.tif 000010
【図７】
0005138293.tif 000011
【図８】
0005138293.tif 000012